【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
吸収または吸着により気体の貯蔵要素を収納する容器を含む、吸収または吸着により気体を貯蔵するためのユニットであって、前記容器中にまた提供され、前記貯蔵要素との接触が維持され、気体を貯蔵して放出するためのフェーズの間の、前記貯蔵要素の体積変化の間に前記貯蔵要素によりかけられる力の作用下で変形するように適合された圧縮可能要素をさらに含み、これにより、前記容器に適用される力を制限し、前記貯蔵要素の層および前記圧縮可能要素の少なくとも１つの層を含む、交互の層を含み、
前記貯蔵要素の各層は、ウエハまたはディスクを形成する、
ことを特徴とする、ユニット。
【請求項２】
前記貯蔵要素が、圧縮または非圧縮粉末形態のものである、請求項１に記載の貯蔵ユニット。
【請求項３】
前記圧縮可能要素が、多孔質媒体からなる、請求項１または２に記載の貯蔵ユニット。
【請求項４】
前記圧縮可能要素が、膨張天然黒鉛の多孔質マトリックスを含む、請求項１〜３のいずれか一項に記載の貯蔵ユニット。
【請求項５】
前記膨張天然黒鉛が、前記容器中に設置される前に予備圧縮される、請求項４に記載の貯蔵ユニット。
【請求項６】
圧縮可能要素により２つずつに分離された、一連の貯蔵要素を含む、請求項１〜５のいずれか一項に記載の貯蔵ユニット。
【請求項７】
圧縮可能要素により包囲されるように、前記圧縮可能要素中に組み込まれた、貯蔵要素の第１の組み合わせを含む、請求項１〜５のいずれか一項に記載の貯蔵ユニット。
【請求項８】
貯蔵要素により包囲されるように、前記貯蔵要素中に組み込まれた圧縮可能要素の第２の組み合わせを含む、請求項７に記載の貯蔵ユニット。
【請求項９】
交互に、第１の組み合わせおよび第２の組み合わせを含む、請求項７または８に記載の貯蔵ユニット。
【請求項１０】
共通の圧縮可能要素中に組み込まれた、一連の貯蔵要素を含む、請求項１〜５のいずれか一項に記載の貯蔵ユニット。
【請求項１１】
前記圧縮可能要素が、２つの部分を含み、少なくとも１つの部分が、貯蔵要素に対して支えるように維持され、両方の部分が、弾性機械的要素により相互に連結されている、請求項１〜１０のいずれか一項に記載の貯蔵ユニット。
【請求項１２】
前記弾性機械的要素が、バネを含む、請求項１１に記載の貯蔵ユニット。
【請求項１３】
前記圧縮可能要素が、前記容器に適用された力を制限するように、気体を貯蔵して放出するためのフェーズの間の、前記貯蔵要素の体積変化の間に、前記貯蔵要素によりかけられる力の作用下で密度の変化で変形するように適合されている、請求項１〜１２のいずれか一項に記載の貯蔵ユニット。
【請求項１４】
容器中に位置されるように適合された、吸収または吸着により気体を貯蔵するための構造であって、前記構造は、吸収または吸着による気体のための貯蔵要素を含み、前記貯蔵要素との接触が維持され、気体を貯蔵して放出するためのフェーズの間の、前記貯蔵要素の体積変化の間に前記貯蔵要素によりかけられる力の作用下で変形するように適合された、圧縮可能要素、および前記貯蔵要素の層および前記圧縮可能要素の少なくとも１つの層を含む、交互の層をさらに含み、
前記貯蔵要素の各層は、ウエハまたはディスクを形成すること、
を特徴とする、構造。
【請求項１５】
内燃機関の排ガスのための選択的触媒還元システムであって、請求項１〜１１のいずれか一項に記載のアンモニアを貯蔵するためのユニットおよび前記排ガス中にアンモニアを注入するためのモジュールを含むこと、を特徴とする、選択的触媒還元システム。
【請求項１６】
吸収または吸着により、気体を貯蔵するための少なくとも１つの要素を収納することが意図された容器を含む、気体貯蔵ユニットを充填するための方法であって、以下のステップ：
−  本質的にいかなる気体もない該容器中で、少なくとも１つの気体貯蔵要素を置くステップ、
−  該容器中に、前記貯蔵要素に隣接して、少なくとも１つの圧縮可能要素を置くステップ、
−  該１つのまたは各気体貯蔵要素中で、吸着により前記気体を貯蔵するために、前記容器を閉鎖し、その後加圧ガスの源を適用し、該１つのまたは各圧縮可能要素は、前記容器に適用された力を制限するために、この貯蔵の間に、該１つのまたは各貯蔵要素の体積変化によりかけられる力の作用下で変形するように適合されるステップ、
を含み、
前記貯蔵ユニットは、前記貯蔵要素の層および少なくとも１つの前記圧縮可能要素の層を含む、交互の層を含み、
前記貯蔵要素の各層は、ウエハまたはディスクを形成すること、
を特徴とする、方法。
【請求項１７】
前記貯蔵要素が、粉末塩の層であり、層を形成してプランジャーによりこの層を成形するように、前記方法が、前記容器中に前記粉末塩を導入することを含む、請求項１６に記載の方法。
【請求項１８】
請求項１４に記載のアンモニアを貯蔵するための構造を得るための方法であって、前記方法は、以下のステップ：
−  非圧縮のまたは予備圧縮された塩を含む貯蔵層を堆積するステップ、
−  圧縮可能要素の層を提供するステップ、
を含み、
交互の貯蔵層および中間圧縮可能材料層を含む構造を形成するように、これらの両方のステップを繰り返し、
ここで、前記貯蔵層および前記圧縮可能要素の層を予備アセンブリして、両方の層を、次いで、前記容器中で同時に堆積し、
ここで、前記貯蔵要素の各層は、ウエハまたはディスクを形成する、
方法。
【請求項１９】
前記予備アセンブリを、互いに対して、前記層を、接着により結合させることおよび／または圧縮することにより、達成する、請求項１８に記載の方法。
【請求項２０】
前記交互の層が、ウエハまたはディスクの積層を形成する、請求項１に記載の貯蔵ユニット。
【請求項２１】
貯蔵材料中の前記層の全体の高さは、前記少なくとも１つの圧縮可能要素の層の全体の高さの２５％〜７５％である、請求項１に記載の貯蔵ユニット。
【請求項２２】
貯蔵材料中の前記層の全体の高さは、前記少なくとも１つの圧縮可能要素の層の全体の高さの５０％〜７５％である、請求項１に記載の貯蔵ユニット。
【請求項２３】
貯蔵材料中の各層の高さは、前記少なくとも１つの圧縮可能要素の各層の高さの２５％〜７５％である、請求項１に記載の貯蔵ユニット。
【請求項２４】
貯蔵材料中の各層の高さは、前記少なくとも１つの圧縮可能要素の各層の高さの５０％〜７５％である、請求項１に記載の貯蔵ユニット。
【請求項２５】
前記貯蔵要素のアセンブリの体積は、圧縮可能要素のアセンブリの体積の２５％〜７５％である、請求項１に記載の貯蔵ユニット。
【請求項２６】
前記貯蔵要素のアセンブリの体積は、圧縮可能要素のアセンブリの体積の５０％〜７５％である、請求項１に記載の貯蔵ユニット。
【請求項２７】
圧縮可能要素を含む、貯蔵材料中の各層について、前記貯蔵要素の体積は、前記圧縮可能要素の２５％〜７５％である、請求項１に記載の貯蔵ユニット。
【請求項２８】
圧縮可能要素を含む、貯蔵材料中の各層について、前記貯蔵要素の体積は、前記圧縮可能要素の５０％〜７５％である、請求項１に記載の貯蔵ユニット。
【請求項２９】
アンモニアでの充填の間、該１つのまたは各貯蔵層は、体積を増加させ、圧縮可能材料中の該１つのまたは各層は、それを変形させる力に供され、前記構造および前記容器は、前記容器中の空いた空間が一定の密度で形状の変化を可能にする限り、この変形により、圧縮可能材料中の該１つのまたは各層の密度の顕著な変化を伴わないように、特に寸法が測られ得る、請求項１に記載の貯蔵ユニット。
【請求項３０】
隙間が、前記容器の内壁および圧縮可能材料中の該１つのまたは各層の間に存在し、これにより、前記隙間によりもたらされる周辺体積を占めるように、圧縮可能材料中の該１つのまたは各層が変形し得る、請求項１に記載の貯蔵ユニット。
【請求項３１】
前記圧縮可能材料層は、このように、前記隙間区域で、前記容器の前記内壁に接触するまで変形し得る、請求項３０に記載の貯蔵ユニット。
【請求項３２】
圧縮可能材料中の該１つのまたは各層の厚さは、減少し得、その直径はいかなる密度の変化もなく増加する、請求項３０に記載の貯蔵ユニット。
【請求項３３】
前記圧縮可能材料層の端部および前記貯蔵構造を含む前記容器の前記内壁間の前記隙間が、前記貯蔵構造のアンモニアが空になる場合に、前記層の横軸の２％〜３０％である、請求項３０に記載の貯蔵ユニット。
【請求項３４】
前記圧縮可能材料層の端部および前記貯蔵構造を含む前記容器の前記内壁間の前記隙間が、前記貯蔵構造のアンモニアが空になる場合に、前記層の横軸の５％〜１６％である、請求項３０に記載の貯蔵ユニット。